(57)【要約】【課題】  スイッチ電極の感度を高めると共に、使用者による強い押込み荷重に対する耐久性を向上させたエレベータの押釦装置を提供する。【解決手段】  バネ部材４をハウジング３に固定した外枠部７とこの外枠部７の内部に弾性架橋部８を介して連結した内枠部９とを一体にした弾性樹脂体にて形成する。内枠部９の前面に押圧体２を取付けると共にスイッチ電極６に対向した内枠部９の背面に環状通電体１０をその周縁部に亙るように固定する。スイッチ電極６を径の異なる一対の環状端子１１，１２を同心円状に非接触状態に配置して形成する。弾性架橋部８の付勢に抗って使用者が押圧体２を背方へ押し込んだときに、押圧体２と共に内枠部９が背方へ押し込まれて環状通電体１０をスイッチ電極６に面接触させて環状端子１１，１２同士を通電可能にする。【選択図】        図１
2006232454.tif 000002
【特許請求の範囲】
【請求項１】
使用者により押される押圧体がハウジングに固定されたバネ部材を介してハウジングの前面から突没自在に設けられると共に、エレベータの運転制御を行う制御部に接続されたスイッチ電極がハウジングの内部で押圧体の背方に対向配置され、上記バネ部材をハウジングに固定した外枠部とこの外枠部の内部に弾性架橋部を介して連結した内枠部とを一体にした弾性樹脂体にて形成し、この内枠部の前面に押圧体を取付けると共にスイッチ電極に対向した内枠部の背面に環状通電体をその周縁部に亙るように固定し、スイッチ電極を径の異なる一対の環状端子を同心円状に非接触状態に配置して形成し、弾性架橋部の付勢に抗って使用者が押圧体を背方へ押し込んだときに、押圧体と共に内枠部が背方へ押し込まれて環状通電体をスイッチ電極に面接触させて環状端子同士を通電可能にしたことを特徴とするエレベータの押釦装置。
【請求項２】
押圧体の周縁からフランジ片部を側方に突設すると共に外枠部の内周部に前方へ面する係止部を設け、使用者が押圧体を押し込んで環状通電体がスイッチ電極に接触したときにフランジ片部を係止部に前方から係止するようにしたことを特徴とする請求項１に記載のエレベータの押釦装置。
【発明の詳細な説明】
【技術分野】
【０００１】
本発明は、エレベータの押釦装置に関するものである。
【背景技術】
【０００２】
エレベータには、行き先の階を指定したり、扉を開閉したり、エレベータかごを乗場に呼出したり等するための各種の押釦装置１が設けられているが、従来、この押釦装置１は図８に示すような構造を有していた。詳しくは、従来の押釦装置１は、ハウジング３の前面に使用者により押される押圧体２がハウジング３に固定したバネ部材４を介して突没自在に備えられると共に、ハウジング３の内部で押圧体２の背方にエレベータを制御する制御部５に接続されたスイッチ電極６が押圧体２に対向配置され、バネ部材４の付勢に抗って使用者が押圧体２を背方へ押し込んだときには、押圧体２の背面から突出した棒状の突起物４０がスイッチ電極６に当接されてスイッチ電極６が作用させられるといった構造となっていた（たとえば特許文献１参照）。
【０００３】
しかしながら、上記構造の押釦装置１は、使用者が押圧体２を背方からずれた側方に押し込んだ場合には、押圧体２の突起物４０がきちんとスイッチ電極６に接触できずにスイッチ電極６が作用されない恐れがあり、また、使用者による押込力が突起物４０を介して集中して制御部５のスイッチ電極６に負荷される構造となっているから、たとえば使用者が傘などを用いて強く押圧体２を押し込んだ場合には、上記使用者の押込力の集中荷重が強くスイッチ電極６にかかってスイッチ電極６が破損してしまう恐れがあるものであった。
【特許文献１】特開平９−２５９６９４号公報
【発明の開示】
【発明が解決しようとする課題】
【０００４】
本発明は上記の従来の問題点に鑑みて為したものであって、スイッチ電極の感度を高めると共に、使用者による強い押込み荷重に対する耐久性を向上させたエレベータの押釦装置を提供することを課題とするものである。
【課題を解決するための手段】
【０００５】
上記課題を解決するために本発明の請求項１に係るエレベータの押釦装置は、使用者により押される押圧体２がハウジング３に固定されたバネ部材４を介してハウジング３の前面から突没自在に設けられると共に、エレベータの運転制御を行う制御部５に接続されたスイッチ電極６がハウジング３の内部で押圧体２の背方に対向配置され、上記バネ部材４をハウジング３に固定した外枠部７とこの外枠部７の内部に弾性架橋部８を介して連結した内枠部９とを一体にした弾性樹脂体にて形成し、この内枠部９の前面に押圧体２を取付けると共にスイッチ電極６に対向した内枠部９の背面に環状通電体１０をその周縁部に亙るように固定し、スイッチ電極６を径の異なる一対の環状端子１１，１２を同心円状に非接触状態に配置して形成し、弾性架橋部８の付勢に抗って使用者が押圧体２を背方へ押し込んだときに、押圧体２と共に内枠部９が背方へ押し込まれて環状通電体１０をスイッチ電極６に面接触させて環状端子１１，１２同士を通電可能にしたことを特徴とする。これによると、押圧体２と共に押し込まれるバネ部材４の内枠部９の背面に環状通電体１０を固定し、内枠部９の背面に対向配置されるスイッチ電極６を径の異なる一対の環状端子１１，１２を同心円状に非接触状態に配置して形成し、使用者が押圧体２を背方へ押し込んだときに環状通電体１０をスイッチ電極６に面接触させて環状端子１１，１２同士を通電可能にしたので、使用者が背方からずれた側方へ押圧体２を押し込んだとしても、環状通電体１０とスイッチ電極６の環状端子１１，１２とをその周方向の任意位置で通電させることができるから、スイッチ電極６の感度を高めることができるのであり、また、使用者が傘などを用いて強く押圧体２を押し込んだとしても、環状通電体１０とスイッチ電極６の環状端子１１，１２とがその周方向に亙って面接触され、つまり使用者による強い押込み荷重が集中してスイッチ電極６にかからないようにでき、スイッチ電極６の押込み荷重に対する耐久性を高めることができるのである。
【０００６】
また、請求項２に係るエレベータの押釦装置は、請求項１において、押圧体２の周縁からフランジ片部１３を側方に突設すると共に外枠部７の内周部に前方へ面する係止部１４を設け、使用者が押圧体２を押し込んで環状通電体１０がスイッチ電極６に接触したときにフランジ片部１３を係止部１４に前方から係止するようにしたことを特徴とする。これによると、使用者が傘などを用いて強く押圧体２を背方へ押し込んだとしても、環状通電体１０がスイッチ電極６に接触した状態で、ハウジング３に固定された外枠部７の係止部１４に押圧体２のフランジ片部１３が前方から係止されてそれ以上押圧体２が背方へ押し込まれないようにできるのであり、つまりスイッチ電極６に必要以上の使用者の押込み荷重がかからないようにでき、スイッチ電極６の押込み荷重に対する耐久性を更に高めることができるのである。
【発明の効果】
【０００７】
本発明は、環状通電体とスイッチ電極の環状端子とをその周方向の任意位置で通電可能にしたから、使用者の押圧体への押圧方向のズレによってもスイッチ電極の感度を高めることができるという利点を有し、また、環状通電体とスイッチ電極の環状端子とがその周方向に亙って面接触されるから、使用者が傘などを用いて強く押圧体を押し込んだとしても押込み荷重が集中してスイッチ電極にかからないようにできてスイッチ電極の押込み荷重に対する耐久性を高めることができるという利点を有しており、更に言うと、このように高い耐荷重性能を構造によって得ることができたから、高い耐荷重性を使用材料に求めずともよくなり、使用材料に比較的安価なものを用いることができることから、低コスト化を図り得るという利点を有している。
【発明を実施するための最良の形態】
【０００８】
図１乃至図７に本発明の実施の形態の例を示す。エレベータには、行き先の階を指定したり、扉を開閉したり、エレベータかごを乗場に呼出したり等するための各種の押釦装置１を用いたエレベータ操作器１５が設けられているが、本例ではエレベータかご内に配設されるエレベータ操作器１５を例に説明していく。
【０００９】
図２（ａ）のように、本例のエレベータ操作器１５には、エレベータの運転制御をすると共に運転状況を表示する表示部１６や、使用者に釦操作にて操作される行き先操作部１７や扉開閉操作部１８を有し、この行き先操作部１７や扉開閉操作部１８に押釦装置１が用いられている。ここで、操作器のハウジング３は、図２（ｂ）のように、エレベータを制御する制御部５となるプリント配線板１９の前面に隙間を介して正面板２０を積層させたことで形成される。詳しくは、正面板２０の背面の適所から背方へ複数のネジ脚２１が突設され、ネジ脚２１をプリント配線板１９や後述するスペーサ２４の適所に複数穿設した取付用孔２２に挿通し、取付用孔２２からプリント配線板１９の背方へ突出したネジ脚２１にプリント配線板１９の背方からナット２３を締結することで、正面板２０とプリント配線板１９とが連結一体化されて操作器のハウジング３が形成される。なお、正面板２０とプリント配線板１９との隙間は、後述するプリント配線板１９の前面に取付けたスペーサ２４にてその厚みが規制、確保されている。
【００１０】
ここで、正面板２０には、図２（ａ）のように、運転状況表示部１６に対応する位置に、運転状況を表示する表示窓２５が複数設けられ、行き先操作部１７や扉開閉操作部１８に対応する位置に、押釦装置１の使用者に押圧される押圧体２を挿通させる押釦用孔２６が複数設けられている。なお、本例の押釦用孔２６は、後述する押圧体２の前面板部２７を略隙間無く挿通可能にするべく、前面板部２７の外形同様に角部を丸くした正方形状の孔に形成されている。
【００１１】
また、プリント配線板１９はエレベータの運転制御をする制御部５を構成するものであり、図３のように、その前面には、金メッキによる導電パターン２８が形成され、エレベータの運転状況を表示する表示部品２９が実装されると共に、行き先操作部１７や扉開閉操作部１８に対応する位置にスイッチ電極６が複数設けられている。上記表示部品２９としては、図４及び５のように、たとえば、定員超過時や非常時や停電時に各々点灯させるＬＥＤ２９ａや、エレベータかごの現在位置を階数表示する階数表示部２９ｂや、エレベータかごの上昇または下降運転を点灯表示するＬＥＤ２９ｃで構成されている。また、スイッチ電極６は、径の異なる一対の環状端子１１，１２を同心円状に非接触状態に配置して形成してある。詳しくは、径の大きい環状端子１１は、リング状の環状部１１ａにおける周方向の所定間隔毎に径方向内側に突出部１１ｂを突出して形成されていて導電パターン２８に非接触の状態で設けられており、径の小さい環状端子１２は、円状の環状部１２ａにおける周方向の所定間隔毎に径方向外側に突出部１２ｂを突出して形成されていて導電パターン２８に接続された状態で設けられている。なお、径の大きい環状端子１１の突出部１１ｂと径の小さい環状端子１２の突出部１２ｂとは互い違いに配置されていて非接触にされている。また、径の小さい環状端子１２の内部には、スイッチ電極６の通電時に発光されるＬＥＤで構成された発光部材３０が配置されている。
【００１２】
また、プリント配線板１９の前面にはスペーサ２４が取付けられる。このスペーサ２４はジュラコン製の帯板状部材であり、図４のように、隣接するスイッチ電極６を区分けするようにスイッチ電極６の周囲に亙って立設するように取付けられる。詳しくは、帯板状部材のスペーサ２４の長さ方向の適所にネジ孔３１が設けられており、プリント配線板１９の適所に設けた貫通孔３２に上記ネジ孔３１を連通するようにスペーサ２４をプリント配線板１９の前面に沿わせて配置し、プリント配線板１９の背方からねじ具３３を貫通孔３２を介してネジ孔３１に締結することで、プリント配線板１９の前面にスペーサ２４が取付けられている。操作器のハウジング３を形成したときには、正面板２０とプリント配線板１９との間にスペーサ２４が挟まるのであり、正面板２０とプリント配線板１９との隙間の厚さが規制されると共に、行き先操作部１７や扉開閉操作部１８の部位でのハウジング３の強度補強がなされている。なお、隣接するスイッチ電極６を区分けするように設けたスペーサ２４間の空間Ｋには後述するバネ部材４が適宜個数、略隙間無く収容されるのであり、しかして、空間Ｋは収容するバネ部材４の個数に合わせた寸法の前面視矩形形状の空間に形成されている。
【００１３】
上述のように本例のエレベータ操作器１５にあっては、行き先操作部１７や扉開閉操作部１８に押釦装置１が用いられているが、この押釦装置１は、使用者により押される押圧体２と、ハウジング３に固定されたバネ部材４とを有し、使用者が押圧体２を背方へ押し込んだときに、バネ部材４の背面に固定した環状通電体１０が、一対の環状端子１１，１２から成るスイッチ電極６に面接触して環状端子１１，１２同士を通電可能にするように構成されている。
【００１４】
詳しくは、押圧体２は、図５のように、角を丸くした正方形状の前面板部２７の外周縁に亙って背方へ側面板部３４を延設すると共に、側面板部３４の背方端部からその周方向に亙ってフランジ片部１３を外方へ突設してなるハット形状の部材である。詳しくは、本例の押圧体２はポリカーボネート製で無色透明の射出成形品であり、前面板部２７の前面は中央部ほど前方に突出するような曲面形状に形成されており、また、前面板部２７の背面には、図１や図６（ｂ）のように、各階を表す数字や扉の開閉を表す文字等が描かれた表示板３５が貼着される。
【００１５】
バネ部材４は、図７のように、ハウジング３に固定する外枠部７とこの外枠部７の内部に弾性架橋部８を介して連結した内枠部９とを一体に形成してなる、たとえばシリコンゴム製の弾性樹脂体である。外枠部７は、中央に断面略正方形状の外枠中空孔３６を有する正面視正方形状の矩形筒状の部位であり、内周部には前方へ面する係止部１４が形成されると共に、背面には四隅の角部分に背方へ突出してプリント配線板１９に接地する脚部３７が突設されている。なお、本例の係止部１４は、外枠部７の前面且つ内周面との角部でその周方向に亙って背方に段状に凹没させたことで形成されている。内枠部９は、中央に断面略円形状の内枠中空孔３８を有する正面視略正方形状の矩形筒状の部位であり、内枠部９の外周面と外枠部７の内周面とに隙間Ｓを有するようにして外枠中空孔３６内に位置されると共に、外枠部７の背面よりも前方に位置された内枠部９の背面と外枠部７の内周面とを弾性架橋部８にて連結させたことで外枠部７と一体に形成されている。この内枠部９にはその前方から内枠中空孔３８を塞ぐようにして押圧体２が被着されるのであり、内枠部９に被着した押圧体２のフランジ片部１３は、内枠部９の外周面と外枠部７の内周面との隙間Ｓを塞ぐと共に外枠部７の係止部１４の前方位置に位置される。また、内枠部９の背面には内枠中空孔３８を縁取るような薄板リング状の環状通電体１０が貼着されている。本例の環状通電体１０は導電性ゴム製であり、その内径は内枠中空孔３８の孔径及びスイッチ電極６における小さい径の環状端子１２の環状部１２ａの内径と略同様径に形成され、その外径はスイッチ電極６における大きい径の環状端子１１の環状部１１ａの外径と略同様径に形成されている。弾性架橋部８は、内枠部９の内周面と外枠部７の外周面との隙間を塞ぐように内枠部９の外周面及び外枠部７の内周面の全周に亙るように形成されており、バネ部材４の他部位に比べて薄肉状に形成されて弾性変形が容易とされた部位であって外枠部７に対して内枠部９を前方及び背方に可動にしている。
【００１６】
上記構成のバネ部材４は、図６のように、外枠部７の脚部３７をプリント配線板１９におけるスイッチ電極６の外方位置に接地させ、スペーサ２４にて区分けされると共にプリント配線板１９と正面板２０とで囲まれた空間Ｋに外枠部７を収納配置させることで、ハウジング３に固定される。このとき、内枠部９の背面の環状通電体１０はプリント配線板１９のスイッチ電極６に対向配置されると共に、内枠部９の内枠中空孔３８の延長上にプリント配線板１９に取付けた発光部材３０が位置するようにされる。そして、この押釦装置１にあっては、図１のように、ハウジング３に外枠部７を固定させたバネ部材４の内枠部９に前方から押圧体２を被着し、この押圧体２をバネ部材４を介してハウジング３から突没自在にして形成されるのであるが、詳しくは、押圧体２は、バネ部材４の弾性架橋部８の付勢によってそのフランジ片部１３が正面板２０の背面における押釦用孔２６の縁部分に当接されると共に、その前面板部２７が正面板２０の押釦用孔２６からハウジング３の前方へ突出された状態にされるのである。また、このときには、内枠部９の背面の環状通電体１０からスイッチ電極６までの対向距離Ｌ１と、フランジ片部１３から係止部１４までの対向距離Ｌ２とが略一致するような状態にされている。
【００１７】
エレベータの使用者が行き先操作部１７や扉開閉操作部１８を操作する際には、押釦装置１の押圧体２を背方へ押し込むことで行われるのであるが、詳しくは、押圧体２と共にバネ部材４の内枠部９がバネ部材４の弾性架橋部８の付勢に抗って背方へ押し込まれるのであり、背方へ押し込んだ内枠部９の環状通電体１０を一対の環状端子１１，１２から成るスイッチ電極６に面接触させ、環状通電体１０にて一対の環状端子１１，１２同士を通電させることでスイッチが切り替えられ、制御部５を介してエレベータの運転制御が行われるのである。なお、使用者が押圧体２を操作していない状態の押釦装置１では、内枠部９の背面の環状通電体１０からスイッチ電極６までの対向距離Ｌ１とフランジ片部１３から係止部１４までの対向距離Ｌ２とが略一致するような状態にされているので、使用者が押圧体２を押し込んで環状通電体１０がスイッチ電極６に接触したときには、フランジ片部１３が係止部１４に係止するようにされている。制御部５による制御としては、たとえば、使用者が押した押圧体２によって通電されたスイッチ電極６内に設けた発光部材３０の発光制御がある。ここで、発光部材３０が発光すると、本例では内枠中空孔３８を経て表示板３５を背方から照らすことができるようになっており、使用者により押された押圧体２と押されていない押圧体２とを使用者が視覚的に明瞭に区別することが可能にされている。
【００１８】
このように、本例の押釦装置１にあっては、押圧体２と共に押し込まれるバネ部材４の内枠部９の背面に環状通電体１０を固定し、内枠部９の背面に対向配置されるスイッチ電極６を径の異なる一対の環状端子１１，１２を同心円状に非接触状態に配置して形成し、使用者が押圧体２を背方へ押し込んだときに環状通電体１０をスイッチ電極６に面接触させて環状端子１１，１２同士を通電可能にしたので、使用者が背方からずれた側方へ押圧体２を押し込み、つまり押圧体２が傾いた状態で背方へ押し込まれたとしても、環状通電体１０とスイッチ電極６の一対の環状端子１１，１２とをその周方向の任意位置で接触させて通電可能にできるのであり、スイッチ電極６の感度が高められているのである。また、使用者が傘などを用いて強く押圧体２を押し込んだとしても、環状通電体１０とスイッチ電極６の環状端子１１，１２とがその周方向に亙って面接触され、つまり使用者による強い押込み荷重が集中してスイッチ電極６にかからないようにできたことから、スイッチ電極６の押込み荷重に対する耐久性が高められているのである。
【００１９】
また、上述のように使用者が押圧体２を押し込んで環状通電体１０がスイッチ電極６に接触したときにフランジ片部１３を係止部１４に係止するようにしているから、使用者が傘などを用いて強く押圧体２を押し込んだとしても、環状通電体１０がスイッチ電極６に接触した状態で、ハウジング３に固定された外枠部７の係止部１４に押圧体２のフランジ片部１３が係止され、それ以上押圧体２が背方へ押し込まれないようにできたものであり、スイッチ電極６に必要以上の使用者の押込み荷重を負荷させないようにでき、スイッチ電極６の押込み荷重に対する耐久性がこの点でも高められているのである。更に言うと、ハウジング３に固定された外枠部７の係止部１４に押圧体２のフランジ片部１３が係止している状態で、更に使用者が押圧体２を背方へ押し込み続けたとしても、このときには外枠部７の脚部３７が潰れるように弾性変形することで上記使用者による押込力の緩衝が可能にされているのである。上述のように本例の押釦装置１にあっては、その構造によって、スイッチ電極６の押込み荷重に対する耐久性が高められている。しかして、高い耐荷重性能を構造によって得ることができたから、高い耐荷重性を使用材料に求めなくともよくなり、したがって、使用材料に比較的安価なものを用いることができることから、押釦装置１の低コスト化を図ることも可能とされているのである。
【図面の簡単な説明】
【００２０】
【図１】本発明の実施の形態の例の押釦装置の側断面図である。
【図２】同上の押釦装置を備えたエレベータ操作器であり、（ａ）は正面図であり、（ｂ）は分解側面図である。
【図３】同上のエレベータ操作器のプリント配線板の正面図である。
【図４】同上のプリント配線板にスペーサを取付けた状態であり、（ａ）は正面図であり、（ｂ）は分解側面図である。
【図５】同上の押釦装置の押圧体であり、（ａ）は正面図であり、（ｂ）は側面図である。
【図６】同上のプリント配線板に押釦装置を配置した状態であり、（ａ）は正面図であり、（ｂ）は分解側面図である。
【図７】同上の押釦装置のバネ部材であり、（ａ）は正面図であり、（ｂ）は側面図であり、（ｃ）は背面図である。
【図８】従来技術の例の押釦装置の側断面図である。
【符号の説明】
【００２１】
１  押釦装置
２  押圧体
３  ハウジング
４  バネ部材
５  制御部
６  スイッチ電極
７  外枠部
８  弾性架橋部
９  内枠部
１０  環状通電体
１１  環状端子
１２  環状端子
１３  フランジ片部
１４  係止部
１５  エレベータ操作器
【図１】
2006232454.tif 000003
【図２】
2006232454.tif 000004
【図３】
2006232454.tif 000005
【図４】
2006232454.tif 000006
【図５】
2006232454.tif 000007
【図６】
2006232454.tif 000008
【図７】
2006232454.tif 000009
【図８】
2006232454.tif 000010